(57)【要約】【課題】  受信可能なチャンネルリストの設定作業の簡易化を図ることのできる情報処理装置を提供する。【解決手段】  受信される放送の受信周波数を変化させ、トランスポートストリームをスキャン動作によって受信させ、この受信したトランスポートストリームから、各放送チャンネルの付随情報を抽出し、その抽出結果に基づいて、受信可能な複数のチャンネルを特定する。特定された複数のチャンネルを一つのチャンネルリストとして記憶し、記憶された複数のチャンネルリストの内一つを選択させるようにして選局可能なチャンネルリストを設定できるようにする。【選択図】      図４
2007060359.tif 000002
【特許請求の範囲】
【請求項１】
各放送チャンネルの映像情報、音声情報および付随情報を含むトランスポートストリームを受信し、再生する情報処理装置において、
受信される放送の受信周波数を変化させ、前記トランスポートストリームをスキャン動作によって受信させる受信周波数制御手段と、
この受信周波数制御手段により受信した前記トランスポートストリームから、各放送チャンネルの前記付随情報を抽出するチャンネル情報抽出手段と、
このチャンネル情報抽出手段による抽出結果に基づいて、受信可能な複数のチャンネルを特定するチャンネル特定手段と、
このチャンネル特定手段により特定された複数のチャンネルを一つのチャンネルリストとして記憶させるチャンネルリスト記憶手段と、
前記チャンネルリスト記憶手段によって記憶された複数のチャンネルリストの内一つを選択させ、選局可能なチャンネルリストとして設定するチャンネルリスト設定手段と、
を備えたことを特徴とする情報処理装置。
【請求項２】
請求項１記載の情報処理装置において、前記受信周波数制御手段により受信した前記トランスポートストリームから、各放送チャンネルの電波強度および復調エラーレートを検出する検出手段を備え、この検出手段による検出結果を各放送チャンネルと関連付けて記憶させることを特徴とする情報処理装置。
【請求項３】
請求項１記載の情報処理装置において、前記チャンネル情報抽出手段による抽出結果に基づいて、前記チャンネルリスト記憶手段によって記憶されたチャンネルリストとの類似度を検出する類似度検出手段と、を備えたことを特徴とする情報処理装置。
【請求項４】
請求項３記載の情報処理装置において、前記類似度検出手段の検出結果に基づいて、前記チャンネルリスト記憶手段によって記憶されたチャンネルリストから、類似するチャンネルリストを選択表示するリスト候補表示手段と、を備えたことを特徴とする情報処理装置。
【請求項５】
各放送チャンネルの映像情報、音声情報および付随情報を含むトランスポートストリームを受信し、再生させる機能と、
受信される放送の受信周波数を変化させ、前記トランスポートストリームをスキャン動作によって受信させる受信周波数制御機能と、
この受信周波数制御機能により受信した前記トランスポートストリームから、各放送チャンネルの前記付随情報を抽出するチャンネル情報抽出機能と、
このチャンネル情報抽出機能による抽出結果に基づいて、受信可能な複数のチャンネルを特定するチャンネル特定機能と、
このチャンネル特定機能により特定された複数のチャンネルを一つのチャンネルリストとして記憶させるチャンネルリスト記憶機能と、
前記チャンネルリスト記憶機能によって記憶された複数のチャンネルリストの内一つを選択させ、選局可能なチャンネルリストとして設定するチャンネルリスト設定機能と、
をコンピュータに実行させる情報処理プログラム。
【請求項６】
請求項５記載の情報処理プログラムにおいて、前記受信周波数制御機能により受信した前記トランスポートストリームから、各放送チャンネルの電波強度および復調エラーレートを検出する検出機能と、この検出機能による検出結果を各放送チャンネルと関連付けて記憶させる機能とをさらに備えたことを特徴とする情報処理プログラム。
【請求項７】
請求項５記載の情報処理プログラムにおいて、前記チャンネル情報抽出機能による抽出結果に基づいて、前記チャンネルリスト記憶機能によって記憶されたチャンネルリストとの類似度を検出する類似度検出機能をさらに備えたことを特徴とする情報処理プログラム。
【請求項８】
請求項７記載の情報処理プログラムにおいて、前記類似度検出機能による検出結果に基づいて、前記チャンネルリスト記憶機能によって記憶されたチャンネルリストから、類似するチャンネルリストを選択表示するリスト候補表示機能をさらに備えたことを特徴とする情報処理プログラム。
【発明の詳細な説明】
【技術分野】
【０００１】
本発明は、ディジタルテレビ放送を受信可能な情報処理装置及びそのプログラムに関する。
【背景技術】
【０００２】
ディジタルテレビ放送では、多数の番組が重畳して送信されると共に、各番組の映像情報、音声情報、付随情報がそれぞれパケット化されて伝送される。
またディジタルテレビ放送では、ＭＰＥＧ−２の画像圧縮技術の利用により、多数のチャンネル（番組）を同時に放送できるメリットがある。一方、選局可能なチャンネルを特定するために、視聴者であるユーザに「初期スキャン」と呼ばれるチャンネル検索をあらかじめ行ってもらい、受信可能なチャンネルリストを生成する必要がある。
【特許文献１】特開２００５−６４７１８
【発明の開示】
【発明が解決しようとする課題】
【０００３】
しかしながら、この初期スキャンによるチャンネルリスト生成は、選択可能な周波数に順番にチューニングし、ある一定時間内に必要なデータパケットを受信できるかどうかで行うのが一般的であり、放送が流れていない周波数にチューニングしたときにも一定時間パケットの監視を行わなければならないため、非常に時間がかかる。大型の据置きテレビ（ＴＶ）の場合には、引越し等のイベントがなければそのチャンネルリスト設定作業自体はＴＶ購入後一回行うのみで済むのが一般的であるが、ＴＶ視聴可能なＰＣ（Ｐｅｒｓｏｎａｌ  Ｃｏｍｐｕｔｅｒ）等の特に携帯型電子機器においては移動する度にその移動先にて初期スキャンが必要となり、非常に煩わしい作業となる。また、移動先にて初期スキャンが必要か否かの判断も難しく、本来新たなチャンネルリスト生成、設定が不要な場所であるにもかかわらず、初期スキャンを実行してしまうことも考えられる。
【０００４】
そこで本発明では、受信可能なチャンネルリストの設定作業の簡易化を図ることのできる情報処理装置を提供することを目的とする。
【課題を解決するための手段】
【０００５】
上記目的を達成するために、本発明の情報処理装置は、各放送チャンネルの映像情報、音声情報および付随情報を含むトランスポートストリームを受信し、再生する情報処理装置において、受信される放送の受信周波数を変化させ、前記トランスポートストリームをスキャン動作によって受信させる受信周波数制御手段と、この受信周波数制御手段により受信した前記トランスポートストリームから、各放送チャンネルの前記付随情報を抽出するチャンネル情報抽出手段と、このチャンネル情報抽出手段による抽出結果に基づいて、受信可能な複数のチャンネルを特定するチャンネル特定手段と、このチャンネル特定手段により特定された複数のチャンネルを一つのチャンネルリストとして記憶させるチャンネルリスト記憶手段と、前記チャンネルリスト記憶手段によって記憶された複数のチャンネルリストの内一つを選択させ、選局可能なチャンネルリストとして設定するチャンネルリスト設定手段とを備える。
【０００６】
また、本発明の情報処理プログラムは、各放送チャンネルの映像情報、音声情報および付随情報を含むトランスポートストリームを受信し、再生させる機能と、受信される放送の受信周波数を変化させ、前記トランスポートストリームをスキャン動作によって受信させる受信周波数制御機能と、この受信周波数制御機能により受信した前記トランスポートストリームから、各放送チャンネルの前記付随情報を抽出するチャンネル情報抽出機能と、このチャンネル情報抽出機能による抽出結果に基づいて、受信可能な複数のチャンネルを特定するチャンネル特定機能と、このチャンネル特定機能により特定された複数のチャンネルを一つのチャンネルリストとして記憶させるチャンネルリスト記憶機能と、前記チャンネルリスト記憶機能によって記憶された複数のチャンネルリストの内一つを選択させ、選局可能なチャンネルリストとして設定するチャンネルリスト設定機能とを備える。
【発明の効果】
【０００７】
本発明によれば、受信可能なチャンネルリストの設定作業の簡易化を図ることのできる情報処理装置を提供することができる。
【発明を実施するための最良の形態】
【０００８】
以下、本発明の情報処理装置について、図面を参照しながら説明する。
【実施例１】
【０００９】
図１は、本発明の情報処理装置の第１の実施例であるノートＰＣ（Ｐｅｒｓｏｎａｌ  Ｃｏｍｐｕｔｅｒ）１０のシステム構成を示す図である。ノートＰＣ１０は、全体の動作の制御を行う制御部２０１と、デジタル放送を受信するチューナ部２０２と、主メモリ２０３と、チューナ部２０２からの受信したトランスポートストリームデータを記録するＨＤＤ（Ｈａｒｄ  Ｄｉｓｋ  Ｄｒｉｖｅ）２０４と、グラフィックコントローラ２０５と、ＬＣＤ（Ｌｉｑｕｉｄ  Ｃｒｉｓｔａｌ  Ｄｉｓｐｌａｙ）２０６と、キーボード、マウス、リモコン等からなる入力装置２０７とから構成される。
【００１０】
制御部２０１は、ＣＰＵ（Ｃｅｎｔｒａｌ  Ｐｒｏｃｅｓｓｉｎｇ  Ｕｎｉｔ）から構成され、ノートＰＣ１０全体の動作を制御する。制御部２０１はＨＤＤ２０４から主メモリ２０３にロードされるオペレーティングシステム（ＯＳ）および映像制御プログラム２０８（情報処理プログラム）を実行し、ユーザにチューナ部２０２から受信した映像を記録させたり、再生視聴させたりすることができる。
【００１１】
チューナ部２０２は、受信するディジタルテレビ放送の伝送信号の周波数を選択し、その中間周波信号をＯＦＤＭ復調、アナログ／ディジタル変換（ＡＤＣ）及びＦＥＣ（Forward Error Correction）エラー訂正等を行い、トランスポートストリームと呼ばれる形式のデータ列を生成する。トランスポートストリームには、ＭＰＥＧ−２のＶｉｄｅｏトランスポートパケット、Ａｕｄｉｏトランスポートパケット及び付随情報パケットが含まれており、受信対象である番組のパケットが出力される。付随情報としてはＳＩ（Ｓｅｒｖｉｃｅ  Ｉｎｆｏｒｍａｔｉｏｎ）と言われ、放送事業者（放送局）の情報が含まれている。
【００１２】
ＨＤＤ２０４は、チューナ部２０２から出力された対象番組の受信データを、映像制御プログラム２０８の制御の下で記録する。
映像制御プログラム２０８は、主に圧縮符号化されたＭＰＥＧ−２の動画像データを記録したり、記録したデータをデコードおよび再生するためのソフトウエアであり制御部（ＣＰＵ）２０１により実行される。図２に示すように、映像データをＨＤＤ２０４へ記録するための記録部３０１と、受信した各放送チャンネルの映像情報、音声情報含むトランスポートストリームデータを再生させる再生部３０２と、チューナ部２０２において受信される放送の受信周波数を変化させ、トランスポートストリームをスキャン動作によって受信させる受信周波数制御部３０３と、この受信周波数制御部３０３により受信したトランスポートストリームから、各放送チャンネルの付随情報である放送事業者を抽出する付随情報抽出部３０４と、付随情報抽出部３０４による抽出結果に基づいて、受信可能な複数のチャンネル（放送局）を特定するチャンネル特定部３０５と、チャンネル特定部３０５により特定された複数のチャンネルを一つのリストとしてＨＤＤ２０４に記憶させるリスト記憶部３０６と、ＨＤＤ２０４に記憶されたチャンネルリストの内一つをユーザに選択させ、選局可能なチャンネルリストとしてＰＣ１０に設定するリスト設定部３０７と、受信周波数制御部３０３により受信したトランスポートストリームから、各放送チャンネルの電波強度と復調エラーレートを検出すると共に、その結果を各放送局と関連付けてＨＤＤ２０４に記憶させる検出部３０８と、付随情報抽出部３０４の抽出結果に基づいて、ＨＤＤ２０４に記憶されたチャンネルリストにある放送局との類似度を検出する類似度検出部３０９と、ＨＤＤ２０４に記憶されたチャンネルリストから、類似するチャンネルリスト候補を選択し、ＬＣＤ２０６に表示させる表示制御部３１０とから構成されており、各部が映像制御プログラム２０８の各機能としてＣＰＵで実行され動作する。
【００１３】
図３は、ＨＤＤ２０４に記憶されたチャンネルリストの例を示すものであり、「自宅」、「オフィス」、「実家」、「親戚の家」の４箇所でそれぞれ作成されたチャンネルリストである。放送局毎に、検出部３０８で検出された電波強度と復調エラーレートが関連付けられて記憶されている。
【００１４】
ここで、ＰＣ１０を購入後、初めてチャンネルリストを生成、設定する際の動作について図４のフローチャートを用いて説明する。
ＰＣ１０のユーザが所定の動作により初期スキャンを開始すると（Ｓ４０１）、特徴周波数の有無が判断され（Ｓ４０２）、特徴周波数が無ければ周波数Ａが設定され、チューナ部２０２におけるチューニングを周波数Ａ〜Ｆまでを順次変化させる（Ｓ４０３）。ここで、特徴周波数とは、ユーザが特徴ある周波数として設定した周波数であり、例えば同じ周波数でありながら場所によって異なる放送局が設定されている周波数が特徴周波数として設定される。チューナ部２０２における周波数が設定されると、一定時間その周波数におけるトランスポートストリームを受信し、電波強度、復調エラーレートを検出保持し（Ｓ４０４，Ｓ４０５）、抽出した付随情報から放送局の情報を抽出する（Ｓ４０６）。抽出した結果、既に作成したチャンネルリストにある当該周波数の放送局と類似度を検出し、既に検出した放送局が記憶された唯一のチャンネルリストがあれば、そのチャンネルリストを設定候補として表示する（Ｓ４０７）。初めてのスキャン動作の場合には記憶されたチャンネルリストは無いため設定候補は表示されない。その後、最後の周波数Ｆとなるまで同様のステップが繰り返され（Ｓ４０８）、最後の周波数であれば終了する。尚、Ｓ４０２にて特徴周波数有りの場合には予めユーザによって設定された特徴周波数、例えば周波数Ｄからスキャンを開始し（Ｓ４０９）、次にＥ，Ｆ，Ａ，Ｂ，Ｃの順にスキャン動作を行う。また、スキャン動作終了後に、図５に示すリスト登録画面５０が表示され、スキャン動作を「自宅」で行った場合には、例えばリスト名表示欄５１の「ＬＩＳＴ１」を「自宅」というタイトルに変更して「はい」のボタンをマウス等で選択決定すると、そのチャンネルリストがＨＤＤ２０４に保存される。同様に、「オフィス」、「実家」、「親戚の家」へ移動した際に初期スキャンを行うことで、例えば図４に示すような複数のチャンネルリストを予め作成することができる。
【００１５】
次に、図４の複数のチャンネルリストを作成した状態で、新たな場所に移動した場合について説明する。例えば、ユーザが自宅からオフィスに移動した場合について説明する。自宅ではチャンネルリストは「自宅」に設定されているためオフィス用のチャンネルリストに設定し直す必要がある。この場合ユーザは、図６に示すようなチャンネルリスト設定画面６０を表示させ、所望のリストに変更を行う。具体的には、チャンネルリスト設定画面６０の現在のリスト欄６１のプルダウン式のメニューから「オフィス」をマウス等で選択しＯＫボタンを実行するとオフィスで選局可能なチャンネルリストに変更される。
【００１６】
次に、既に登録したチャンネルリストに無い場所に移動し、その場所でチャンネルリストを設定する場合の動作について説明する。この場合には、新たにチャンネルリストを作成、設定するか、或いは既存のリストが使用できる場合にはそのリストをチャンネルリスト設定画面６０にて設定するかのいずれかとなる。いずれの場合にも、ここでは初期スキャンを利用して設定する。
【００１７】
その設定動作は図４のフローチャートを用いて説明する。
ＰＣ１０のユーザが所定の動作により初期スキャンを開始すると（Ｓ４０１）、特徴周波数の有無が判断され（Ｓ４０２）、特徴周波数が周波数Ｄに設定されていれば周波数Ｄが設定される（Ｓ４０３）。チューナ部２０２において周波数Ｄが設定されると、一定時間その周波数において受信されるトランスポートストリームを受信し、電波強度、復調エラーレートを検出保持し（Ｓ４０４，Ｓ４０５）、付随情報から放送局の情報を抽出する（Ｓ４０６）。その結果、図７に示したように電波強度９０、復調エラーレート１０、放送局Ｅが抽出されたとする。この放送局Ｅの情報について、既に作成記憶した図３に示した複数のチャンネルリストにある周波数Ｄの放送局と類似度を比較検出し、既に検出した放送局Ｅと一致する唯一のチャンネルリスト「自宅」があるため、そのリストを設定候補リストとして図８に示すような候補リスト画面８０に表示する（Ｓ４０７）。候補リスト画面８０にてユーザが「はい」をマウス等で選択決定すると、以降の周波数Ｅ，Ｆ，Ａ，Ｂ，Ｃのスキャン動作を停止し、チャンネルリストがその時点で「自宅」に設定される。候補リスト画面８０にてユーザが「いいえ」をマウス等で選択決定すると、以降の周波数Ｅ，Ｆ，Ａ，Ｂ，Ｃのスキャン動作を継続して実行する。最後の周波数Ｃまでスキャン動作を実行し、途中で候補リスト画面８０にてユーザによるリスト設定が行われなかった場合には、図５に示す画面にて新たなリストとして登録するか否かの問合せ画面が表示され、新たなリストとして登録することが可能となる。
【００１８】
このように、本実施例によれば、予め場所に応じたチャンネルリストを複数記憶しておき、移動した場所にて記憶されたチャンネルリストから一つを選択するのみでチャンネルリストが設定できるので、移動場所にて都度初期スキャン動作を実行する必要が無く、短時間にチャンネルリストを設定することができる。
【００１９】
また、新たな場所にて初期スキャンを実行中に、既に記憶されているチャンネルリストと類似するリストを設定候補リストとして提示し、ユーザによる設定を可能としたので、既存のチャンネルリストが流用できる場合にその設定時間を短縮することができる。また、既存のチャンネルリストを流用し易いようにしたので、チャンネルリストが多数作成されることがなく、多数作成されたチャンネルリストからの選択作業が複雑化することも避けることができる。
【００２０】
さらに、特徴周波数を設定できるので、設定候補リストを短時間に表示させ、短時間にリストを選択設定することも可能となる。
尚、本実施例では、記憶された既存のチャンネルリストとの類似度を、その周波数における放送局の一致によって判断しているが、その放送局における電波強度、復調エラーレートの情報の類似度を算出することで類似度を検出しても良い。また、これら放送局名、電波強度、復調エラーレートの類似度を算出し、その値の積分値から候補となるチャンネルリストを選定し、候補リスト画面８０のリスト候補欄８１に表示するようにしても良い。
【図面の簡単な説明】
【００２１】
【図１】本発明の第１の実施例に係る情報処理装置のシステム構成を示す図である。
【図２】本発明の第１の実施例に係る映像制御プログラムの機能ブロック図である。
【図３】本発明の第１の実施例に係るチャンネルリストを示す図である。
【図４】本発明の第１の実施例に係る映像制御プログラムの動作フローチャート図である。
【図５】本発明の第１の実施例に係るリスト登録画面を示す図である。
【図６】本発明の第１の実施例に係るチャンネルリスト設定画面を示す図である。
【図７】本発明の第１の実施例に係る初期スキャン動作の結果を示す図である。
【図８】本発明の第１の実施例に係る候補リスト画面を示す図である。
【符号の説明】
【００２２】
１０・・・ノートＰＣ
２０１・・・制御部
２０２・・・チューナ部
２０４・・・ＨＤＤ
２０６・・・ＬＣＤ
２０８・・・映像制御プログラム
３０２・・・再生部
３０３・・・受信周波数制御部
３０４・・・付随情報抽出部
３０５・・・チャンネル特定部
３０６・・・リスト記憶部
３０７・・・リスト設定部
３０８・・・検出部
３０９・・・類似度検出部
３１０・・・表示制御部
【図１】
2007060359.tif 000003
【図２】
2007060359.tif 000004
【図３】
2007060359.tif 000005
【図４】
2007060359.tif 000006
【図５】
2007060359.tif 000007
【図６】
2007060359.tif 000008
【図７】
2007060359.tif 000009
【図８】
2007060359.tif 000010